(57)【要約】      （修正有）【課題】工具等を腰のぶら下げて作業を行なう際に、とくに工具の形状や種類に係わりなく保持することができ、また必要に応じて治具やボルト、ナット、ビス、釘等の締結部材をも保持できる保持具を提供する。【解決手段】開閉ロッド１６によって開閉可能なリング状フック１０に連結ワイヤ１２を介して吸着用マグネット１１を連結し、この吸着用マグネット１１によって工具や治具、あるいはボルト、ナット、ビス、釘等の締結部材を吸着保持する。【選択図】図１
0003180812.tif 000002
【実用新案登録請求の範囲】
【請求項１】
開閉式のリング状フックと、
鉄系の工具、治具、締結部材等を吸着する吸着用マグネットと、
前記吸着用マグネットを前記リング状フックに連結する連結部材と、
を備える保持具。
【請求項２】
前記リング状フックの開閉部にロックナットを有する開閉ロッドが取付けられ、前記開閉ロッドを閉じた状態で前記ロックナットによりロックできるようにした請求項１に記載の保持具。
【請求項３】
前記吸着用マグネットが円盤状であって、挿通孔を有し、該挿通孔に前記連結部材が挿通される請求項１または請求項２に記載の保持具。
【請求項４】
前記連結部材がワイヤである請求項１〜３の何れかに記載の保持具。
【請求項５】
前記リング状フックによってベルト等に取付け、前記吸着用マグネットによって工具、治具、締結部材等を吸着保持する請求項１〜４の何れかに記載の保持具。
【請求項６】
前記吸着用マグネットによって壁面の鉄系の被吸着部に吸着させ、前記リング状フックによって工具をぶら下げるようにした請求項１〜４の何れかに記載の保持具。
【考案の詳細な説明】
【技術分野】
【０００１】
本考案は保持具に係り、とくに吸着用マグネットを用いた保持具に関する。
【背景技術】
【０００２】
各種の作業を行なう際に、手が届く範囲内に工具があると非常に便利である。そこで従来より、例えば特開２０１１−１０４７３４号公報に示されるような道具入れを腰の部分に装着し、この道具入れによって各種の工具を保持するようにしていた。すなわち、ドライバ等の各種の工具をその道具入れの中に保持しておき、必要に応じて使う工具を取出して作業を行なうようにしていた。
【０００３】
このような腰に装着する道具入れは、予め使用する工具を想定し、これに応じてその収納部の形状が定められている。従って、想定された工具と異なる形状の工具等を保持することができないという欠点があった。またこのような道具入れによると、治具や、ボルト、ナット、ビス、釘等の締結部材を保持することができず、これらの治具や締結部材については、別の容器や保持具を用意し、あるいはまた作業する際にその直ぐ横に置いて取出す必要があった。すなわち締結部材を必要に応じて取れるように保持することができなかった。
【先行技術文献】
【特許文献】
【０００４】
【特許文献１】特開２０１１−１０４７３４号公報
【特許文献２】特開２００７−０４４８４２号公報
【考案の概要】
【考案が解決しようとする課題】
【０００５】
本願考案の課題は、工具の形状等にかかわらず保持することができる保持具を提供することである。
【０００６】
本願考案の別の課題は、予め所定の形状の保持部を形成することなくしかも工具を保持できるようにした保持具を提供することである。
【０００７】
本願考案のさらに別の課題は、工具のみならず治具についても保持できるようにした保持具を提供することである。
【０００８】
本願考案のさらに別の課題は、工具のみならず、ボルト、ナット、ビス、釘等の締結部材をも任意に保持できるようにした保持具を提供することである。
【０００９】
本願考案の上記の課題および別の課題は、以下に述べる本願考案の技術的思想およびその実施の形態によって明らかにされる。
【課題を解決するための手段】
【００１０】
本願の主要な考案は、
開閉式のリング状フックと、
鉄系の工具、治具、締結部材等を吸着する吸着用マグネットと、
前記吸着用マグネットを前記リング状フックに連結する連結部材と、
を備える保持具に関するものである。
【００１１】
ここで、前記リング状フックの開閉部にロックナットを有する開閉ロッドが取付けられ、前記開閉ロッドを閉じた状態で前記ロックナットによりロックできるようにしてよい。また前記吸着用マグネットが円盤状であって、挿通孔を有し、該挿通孔に前記連結部材が挿通されてよい。また前記連結部材がワイヤであってよい。また前記リング状フックによってベルト等に取付け、前記吸着用マグネットによって工具、治具、締結部材等を吸着保持してよい。また前記吸着用マグネットによって壁面の鉄系の被吸着部に吸着させ、前記リング状フックによって工具をぶら下げるようにしてよい。
【考案の効果】
【００１２】
本願の主要な考案は、開閉式のリング状フックと、鉄系の工具、治具、締結部材等を吸着する吸着用マグネットと、前記吸着用マグネットを前記リング状フックに連結する連結部材と、を備えるものである。
【００１３】
従ってこのような保持具によると、吸着用マグネットの磁気吸着力によって保持するために、鉄系の材料から構成されている工具、治具を、それらの形状にかかわりなく吸着保持できるようになる。さらにこのような保持具は、ボルト、ナット、ビス、釘等の鉄系の締結部材をも吸着することができ、予め所定の量の締結部材を上記吸着用マグネットに保持させた状態で、順次この吸着用マグネットから締結部材を取って作業を行なうことが可能になる。
【図面の簡単な説明】
【００１４】
【図１】本考案の一実施の形態の保持具の外観斜視図である。
【図２】同リング状フックの正面図（Ａ）、および側面図（Ｂ）である。
【図３】この保持具を腰の部分に装着して工具を保持した状態を示す斜視図である。
【図４】壁面等に取付けられた鉄板に工具をぶら下げている保持具の使用状態を示す斜視図である。
【図５】吸着マグネットの各種の形状を示す斜視図（Ａ〜Ｄ）および正面図（Ｅ）である。
【考案を実施するための形態】
【００１５】
以下本願考案を図示の実施の形態によって説明する。図１は本実施の形態の保持具の全体の構造を示すものである。この保持具は、リング状フック１０と、吸着用マグネット１１と、この吸着用マグネット１１をリング状フック１０に連結する連結ワイヤ１２とから構成されている。そしてこのような保持具を腰の部分に取付け、吸着用マグネット１１を介して工具等を保持するようにしている。
【００１６】
リング状フック１０は図２に示すように、その側端の開放部分に開閉ロッド１６を備えており、この開閉ロッド１６によってフックが開放されたＣ字型を成している。そして開閉ロッド１６の下端側の部分がピン１７を介してリング状フック１０の下端の部分に開閉自在に連結されている。なお開閉ロッド１６内にはばねが内蔵されており、このばねによって開閉ロッド１６は図２Ａにおいて実線で示す閉鎖位置に回動付勢されている。また開閉ロッド１６の上端側の部分には切込み８が形成され、この切込み１８がリング状フック１０の開口部の上端の狭小部１９を受入れるようになっている。また開閉ロッド１６には雄ねじ２０が形成され、しかもこの雄ねじ２０と螺着されるロックナット２１が開閉ロッド１６に取付けられている。
【００１７】
次にこのようなリング状フック１０に吸着用マグネット１１を取付ける連結ワイヤ１２は、固定チューブ２６によって両端が固定されてループ状をなし、リング状フック１０と吸着用マグネット１１とを連結している。なお連結ワイヤ１２は吸着用マグネット１１の中心部に形成された挿通孔３０に挿通されている。
【００１８】
次に以上のような構成になる保持具の使用方法について説明する。図２Ａにおいて鎖線で示すように、ロックナット２１を緩めて開閉ロッド１６の下方側に移動し、これによって開閉ロッド１６を図２において鎖線で示すように、ピン１７を中心として反時計方向に回動させて開く。そしてこの状態で、リング状フック１０を図３に示すようにベルト３４に引掛けて挿通させる。なおベルト３４は、バックル３５によって固定され、作業者の腰の部分に固定される。そしてこのようにしてベルト３４に取付けられたリング状フック１０と連結ワイヤ１２を介して連結されている吸着用マグネット１１を利用して、工具３３をぶら下げる。工具３３は、その一端の部分が上記吸着用マグネット１１によって磁気的に吸着保持されるようになる。従って、この保持具によよって、各種の形状の工具３３を任意に保持できるようになる。すなわち鉄系の工具であって、吸着用マグネットによって吸着保持できるものであれば、その形状を問わずぶら下げて保持することができる。そして作業を行なう際に必要に応じて、吸着用マグネットから工具３３を取外して作業を行なえばよい。
【００１９】
またこのような保持具は、工具３３のみならず、鉄系の治具や鉄系の締結部材をも吸着保持することができる。例えば治具を複数個この保持具の吸着用マグネット１１に保持させておき、作業の際に必要に応じて１つずつ治具を取外して作業に供することができる。さらにはまたボルト、ナット、ビス、釘等の各種の締結部材であって、吸着用マグネット１１によって吸着される鉄系の締結部材についても、吸着用マグネット１１に吸着保持しておき、作業の際に１つずつ取出して締着作業を行なうことが可能になる。
【００２０】
またこのような保持具は、工具を壁面等にぶら下げるための手段としても用いることができる。すなわち図４に示すように、壁面に固定された帯状の鉄板３６にこの保持具を介して、各種の工具をぶら下げることができる。この場合には、保持具のリング状フック１０の開閉ロッド１６を開いて工具の挿通孔の部分にリング状フック１０を挿通させる。そしてこの状態で、吸着用マグネット１１を上記鉄板３６に吸着させる。これによって、図４に示すように、モンキースパナ３８、スケール３９、やすり４０等が順次好みの配列で鉄板３６にぶら下げて保持することが可能になる。このような形態は、ばらばらになったり無くしたりし易い工具を整理しかつ見易い状態で保持するのに極めて好適である。
【００２１】
次に上記保持具の吸着用マグネット１１の変形例を図５によって説明する。上記実施の形態においては、吸着用マグネット１１が円盤状の形状に構成されているが、図５Ａに示すように、矩形の板状体から構成されてよい。あるいはまた矩形の板状体であって、端部にリブ４５を備える形状としてもよい（図５参照）。あるいはまた図５Ｃに示すように、上端に挿通孔３０が形成されるとともに、下端側の方が幅広になっている異形の形状としてもよい。さらには図５Ｄに示すように、下端側の部分に凹部４６を形成してもよい。凹部４６を形成しておくと、とくに小さなビスや釘等を保持するのに好都合である。また図５Ｅに示すように、横長であって、複数の工具や治具を一緒に保持できるようにしてもよい。
【００２２】
以上本願考案を図示の実施の形態によって説明したが、本願考案は上記実施の形態によって限定されることなく、本願考案の技術的思想の範囲内において各種の変更が可能である。例えば上記実施の形態における吸着用マグネットについては、その磁気吸引力に応じて、各種の磁石を用いることができる。なお大きな吸着力を要する場合には、例えばネオジウム磁石等を用いるようにしてもよい。
【産業上の利用可能性】
【００２３】
本願考案は、作業を行なうための工具等を腰にぶら下げる保持具として広く利用することができる。
【符号の説明】
【００２４】
１０  リング状フック
１１  吸着用マグネット
１２  連結ワイヤ
１６  開閉ロッド
１７  ピン
１８  切込み
１９  狭小部
２０  雄ねじ
２１  ロックナット
２６  固定チューブ
３０  挿通孔
３３  工具
３４  ベルト
３５  バックル
３６  鉄板
３８  モンキースパナ
３９  スケール
４０  やすり
４５  リブ
４６  凹部
【図１】
0003180812.tif 000003
【図２】
0003180812.tif 000004
【図３】
0003180812.tif 000005
【図４】
0003180812.tif 000006
【図５】
0003180812.tif 000007